(57)【要約】【課題】開示の技術は、車を利用した訪問案内または訪問ルート案内を効率化することを目的とする。【解決手段】本開示の技術における解決手段の一案は、訪問対象となる患者の指定を受け付け、患者ごとに訪問先住所、訪問先位置、および、駐車位置を記憶する記憶部を参照して、前記指定された患者の訪問先位置および駐車位置を特定し、指定された患者の訪問先位置および駐車位置を含む地図表示データを生成する処理をコンピュータが実行する訪問支援方法である。【選択図】図６
2014142713.tif 000002
【特許請求の範囲】
【請求項１】
訪問対象となる患者の指定を受け付け、
患者ごとに訪問先住所、訪問先位置、および、駐車位置を記憶する記憶部を参照して、前記指定された患者の訪問先位置および駐車位置を特定し、
前記指定された患者の訪問先位置および駐車位置を含む地図表示データを生成する処理をコンピュータが実行する訪問支援方法。
【請求項２】
請求項１記載の訪問支援方法であって、前記駐車位置を案内先としたルート案内を行うデータを、端末に送信する処理をコンピュータが実行する訪問支援方法。
【請求項３】
請求項２記載の訪問支援方法であって、前記訪問先住所、および、ルート案内先として前記訪問先位置を表示しつつ駐車位置をルート案内先とする指示を、前記端末に送信する処理をコンピュータが実行する訪問支援方法。
【請求項４】
請求項１記載の訪問支援方法であって、前記記憶部は患者ごとに、入口位置、および、自宅への進入経路を記憶しており、
前記指定された患者の訪問先位置、駐車位置、入口位置、および、自宅への進入経路を含む地図表示データを生成する処理をコンピュータが実行する訪問支援方法。
【請求項５】
コンピュータに、
訪問対象となる患者の指定を受け付け、
患者ごとに訪問先住所、訪問先位置、および、駐車位置を記憶する記憶部を参照して、前記指定された患者の訪問先位置および駐車位置を特定し、
前記指定された患者の訪問先位置および駐車位置を含む地図表示データを生成する、
処理を実行させるプログラム。
【請求項６】
患者ごとに訪問先住所、訪問先位置、および、駐車位置を記憶する記憶部を有する訪問支援装置と接続された端末によるルート案内方法であって、
前記訪問支援装置より、訪問先の患者ごとの訪問先住所および駐車位置の情報を含むルート案内データを受信し、
前記訪問先の患者ごとの駐車位置の情報を参照して、前記訪問先の患者の自宅に対するルート案内を行う、
ことを特徴とするルート案内方法。
【発明の詳細な説明】
【技術分野】
【０００１】
本発明は、訪問支援方法及びプログラムに関する。
【背景技術】
【０００２】
訪問診療または訪問介護と呼ばれる診療や介護の形態においては、医師や介護者が患者の自宅に訪問して診療や介護が行われる。医師や介護者は、通常、一日に複数件の訪問を行うため、患者宅の訪問スケジュールに関しては、効率性が重視される。
【０００３】
医師や介護者が患者の自宅に訪問する際は、通常、車を利用して移動を行うとともに、患者の自宅に一定時間滞在することとなる。車を利用した移動の案内システムとして、ＧＰＳ（Ｇｌｏｂａｌ  Ｐｏｓｉｔｉｏｎｉｎｇ  Ｓｙｓｔｅｍ；全地球測位システム）による位置測定を用いたナビゲーションシステムが知られている（例えば、特許文献１）。
【先行技術文献】
【特許文献】
【０００４】
【特許文献１】特開２００３−１３０６７０号公報
【発明の概要】
【発明が解決しようとする課題】
【０００５】
訪問診療や訪問介護などの訪問のために、車を利用して移動を行い、患者の自宅に一定時間滞在する場合、患者の自宅の周辺に車を一定時間駐車する必要があるが、特に都心部では、患者の自宅の場所と車を駐車する場所が一致するとは限らない。
【０００６】
このため、車を利用して患者の自宅への訪問を円滑に行うためには、訪問者は患者の自宅とともに駐車位置を把握した上での訪問が必要となり、たとえば、ナビゲーションシステムに、患者の自宅に加えて、駐車位置を登録する必要がある。ナビゲーションシステムにおける患者の自宅位置の登録は患者住所より容易に行うことができるが、駐車位置の登録については個別に設定する必要があり、非効率であった。
【０００７】
そこで、一側面では、車を利用した訪問案内または訪問ルート案内を効率化することを目的とする。
【課題を解決するための手段】
【０００８】
一つの案では、訪問支援方法は、訪問対象となる患者の指定を受け付け、患者ごとに訪問先住所、訪問先位置、および、駐車位置を記憶する記憶部を参照して、前記指定された患者の訪問先位置および駐車位置を特定し、指定された患者の訪問先位置および駐車位置を含む地図表示データを生成する処理をコンピュータが実行する。
【発明の効果】
【０００９】
一態様によれば、車を利用した訪問案内または訪問ルート案内を効率化することができる。
【図面の簡単な説明】
【００１０】
【図１】図１は本発明の実施の形態におけるシステム構成例を示す図である。
【図２】図２は本発明の実施の形態における訪問支援装置のハードウェア構成例を示す図である。
【図３】図３（Ａ）は患者宅のみが地図表示領域３３内で表示された状態を示す図であり、図３（Ｂ）は患者宅、駐車位置、患者宅入口、および、進入経路を地図表示した状態を示す図である。
【図４】図４は患者情報記憶部に保存される患者詳細情報テーブル４０を示す図である。
【図５】図５は訪問支援装置１１０がユーザ端末に示すスケジュール一覧５０を示す図である。
【図６】図６は患者宅、駐車位置、入口、進入経路等の緯度経度情報をルート案内に用いた例を示す図である。
【発明を実施するための形態】
【００１１】
以下、図面に基づいて本発明の実施の形態を説明する。図１は、本発明の実施の形態におけるシステム構成例を示す図である。図１において、訪問支援装置１１０と一以上のユーザ端末１２０とは、ＬＡＮ（Local Area Network）またはインターネット等のネットワークを介して通信可能とされている。
【００１２】
訪問支援装置１１０は、訪問診療や訪問介護などの訪問業務に関して必要とされる各種の作業を支援するための処理を実行するコンピュータである。本実施の形態において、訪問支援装置１１０は、訪問業務のための患者宅の訪問スケジュールの立案作業を支援する。複数のコンピュータが訪問支援装置１１０を構成してもよい。また、訪問支援装置１１０は、一つの病院や介護支援施設等の機関内に設置されていてもよいし、例えば、インターネットを介してクラウドサービスを提供するコンピュータとして、データセンタ等に設置されてもよい。
【００１３】
ユーザ端末１２０は、訪問業務を行っている機関において利用されるＰＣ（Personal Computer）等のコンピュータである。携帯電話、スマートフォン、またはタブレット型端末等、通信機能を有し、通信によって取得されたデータを表示可能な情報端末等が、ユーザ端末１２０として用いられてもよい。本実施の形態では、訪問業務のための、患者宅の訪問スケジュールの立案担当者が、ユーザ端末１２０のユーザとなる。
【００１４】
訪問支援装置１１０は、また、インターネット等のネットワークを介して地図検索システム１３０と通信可能とされている。地図検索システム１３０は、地図検索サービスを提供するコンピュータシステムである。地図検索サービスとは、電子的な地図の画像データの提供等を行うサービスである。電子的な地図の画像データを、以下「電子地図」という。なお、地図検索システム１３０は、一般的に利用されているインターネット上の地図検索サイトであってもよいし、訪問支援装置１１０に実装されてもよい。
【００１５】
図２は、本発明の実施の形態における訪問支援装置のハードウェア構成例を示す図である。図２の訪問支援装置１１０は、それぞれバスＢで相互に接続されているドライブ装置２００、補助記憶装置２０２、メモリ装置２０３、ＣＰＵ（Central Processing Unit；中央演算処理装置）２０４、及びインタフェース装置２０５等を有する。
【００１６】
訪問支援装置１１０での処理を実現するプログラムは、記録媒体２０１によって提供される。プログラムを記録した記録媒体２０１がドライブ装置２００にセットされると、プログラムが記録媒体２０１からドライブ装置２００を介して補助記憶装置２０２にインストールされる。ただし、プログラムのインストールは必ずしも記録媒体２０１より行う必要はなく、ネットワークを介して他のコンピュータよりダウンロードするようにしてもよい。補助記憶装置２０２は、インストールされたプログラムを格納すると共に、必要なファイルやデータ等を格納する。
【００１７】
メモリ装置２０３は、プログラムの起動指示があった場合に、補助記憶装置２０２からプログラムを読み出して格納する。ＣＰＵ２０４は、メモリ装置２０３に格納されたプログラムに従って訪問支援装置１１０に係る機能を実行する。インタフェース装置２０５は、ネットワークに接続するためのインタフェースとして用いられる。
【００１８】
なお、記録媒体２０１の一例としては、ＣＤ−ＲＯＭ、ＤＶＤディスク、またはＵＳＢメモリ等の可搬型の記録媒体が挙げられる。また、補助記憶装置２０２の一例としては、ＨＤＤ（Hard Disk Drive）またはフラッシュメモリ等が挙げられる。記録媒体２０１及び補助記憶装置２０２のいずれについても、コンピュータ読み取り可能な記録媒体に相当する。
【００１９】
以下、訪問支援装置１１０が実行する処理手順について説明する。
【００２０】
図３は、患者宅周辺地図の表示および編集例を示す図であり、図３（Ａ）は患者宅を地図表示した状態を示す図、図３（Ｂ）は患者宅、駐車位置、患者宅入口、および、進入経路を地図表示した状態を示す図である。
【００２１】
図３（Ａ）および図３（Ｂ）に示される患者地図編集画面３０は、ユーザ端末１２０が訪問支援装置１１０に対して、特定の患者を指定した地図情報の編集または表示指示を行うことにより生成され、タイトル領域３１、ツール領域３２、および、地図表示領域３３を有する。
【００２２】
図３（Ａ）および図３（Ｂ）において、患者宅アイコン３００、駐車位置アイコン３０１および３０４、入口アイコン３０３は、それぞれ、患者住所、駐車位置、患者宅入口の緯度情報および経度情報に対応して地図表示領域３３上に設定可能なアイコンであり、進入経路指定アイコン３０２は、駐車位置から患者宅までの進入経路を指定するためのアイコンである。
【００２３】
位置の設定が可能なアイコンのうち、患者宅のみが地図表示領域３３内で表示された図３（Ａ）においては、駐車位置、および、患者宅入口は未設定であるため、駐車位置アイコン３０１、入口アイコン３０３は、ツール領域３２に表示される。また、患者宅、駐車位置、患者宅入口、および、進入経路を地図表示した状態である図３（Ｂ）の患者地図編集画面３０においては、駐車位置アイコン３０１とは区別可能な駐車位置アイコン３０４が、ツール領域３２に表示されており、駐車位置アイコン３０１で指定された駐車位置とは異なる場所を追加指定できる状態である。
【００２４】
リセットボタン３１１、更新ボタン３１２、キャンセルボタン３１３は、ユーザによる駐車位置、患者宅入口、進入経路の設定に対する操作を行うボタンである。リセットボタン３１１、更新ボタン３１２、キャンセルボタン３１３をそれぞれ押下することにより、編集が行われた患者住所以外の位置指定（駐車位置、患者宅入口、進入経路など）を、患者地図編集画面３０を表示した状態で元の状態に戻す指示（リセットボタン３１１）、患者地図編集画面３０を表示した状態で確定させる指示（更新ボタン３１２）、患者地図編集画面３０を閉じて元の状態に戻す指示（キャンセルボタン３１３）が行われる。
【００２５】
また、住所検索指示ボタン３１５を押下することにより、住所入力フォーム３１４に入力された住所情報を、地図検索システム１３０に送信し、地図表示領域３３の表示内容を更新する指示が行われる。
【００２６】
図４は、患者情報記憶部に保存される患者詳細情報テーブル４０を示す図である。患者詳細情報テーブル４０は、患者ごとに異なる識別符号である「患者ＩＤ」で識別される複数のレコードにより構成され、１つのレコードは、患者詳細情報テーブル４０の一行に対応する。患者詳細情報テーブル４０を構成するレコードは、「患者名」の項目に患者の氏名が、「住所」の項目に患者の文字表記による住所情報が、「住所緯度」「住所経度」、「駐車位置緯度」「駐車位置経度」、「入口緯度」「入口経度」の項目には、それぞれ、患者住所、駐車位置、入口の緯度および経度の情報が、「進入経路」の項目には、複数の緯度と経度の組み合わせを始点、経由点、および、終点とすることで表される線分または折線に対応する配列の情報が保存される。駐車位置に対応した「駐車位置緯度」「駐車位置経度」については、複数の駐車位置の情報が保存された場合は、複数の駐車位置に対応した配列となる。上記の緯度経度情報は、患者宅を地図表示した状態で、住所・駐車場・入口・進入経路が区別可能な精度で保存される。
【００２７】
次に、図３（Ａ）および図３（Ｂ）に示される患者地図編集画面３０に関連した動作について説明する。
【００２８】
訪問支援装置１１０は、ユーザ端末１２０より、特定の患者についての患者地図編集指示、または、患者地図表示指示を受ける（Ｓ０１）と、指定された患者の患者詳細情報を参照し（Ｓ０２）、ユーザ端末１２０にデータを送信することで、地図表示領域３３に患者宅周辺地図を表示した、患者地図編集画面３０を生成させる（Ｓ０３）。
【００２９】
ここで、地図表示領域３３の表示内容は、患者詳細情報を参照することで得られた住所・駐車場・入口・進入経路の緯度経度情報を、訪問支援装置１１０が地図検索システム１３０に送信した結果を、ユーザ端末１２０に送信して表示させても良いし、住所・駐車場・入口・進入経路の緯度経度情報をユーザ端末に送信し、地図検索システム１３０に表示させても良い。
【００３０】
ここで、表示指示を受けた患者に対応する患者詳細情報に、住所の緯度経度情報が含まれない場合は、住所入力フォーム３１４に住所情報が入力された形で患者地図編集画面３０を生成してもよい。
【００３１】
図３（Ａ）は、位置の設定が可能なアイコンのうち、患者宅のみが地図表示領域３３内で表示された状態を示す図であり、駐車場、入口、および、進入経路の緯度経度情報が図４に示される患者詳細情報のテーブルの対応するレコードに存在しない。駐車位置、および、患者宅入口は未設定であるため、図３（Ａ）において、駐車位置アイコン３０１、入口アイコン３０３は、ツール領域３２に表示される。
【００３２】
患者宅アイコン３００、駐車位置アイコン３０１、入口アイコン３０３は、地図表示領域３３の任意の場所に配置または移動可能であり、地図表示領域３３上で詳細に、患者宅、駐車位置、入口の位置を指定することができる。また、進入経路指定アイコン３０２を用いて地図表示領域３３内での経路を指定することができる。
【００３３】
図３（Ｂ）は患者宅、駐車位置、患者宅入口、および、進入経路を地図表示した状態を示す図であり、対応する患者詳細情報のレコードは、たとえば、図４の１行目のレコード（患者ＩＤ：Ｐ００１；患者名：富士太郎）のように、駐車場、入口、および、進入経路の緯度経度情報が入力されている状況に対応する。
【００３４】
図３（Ｂ）においては、駐車位置アイコン３０１により駐車位置の位置を指定したことに対応して、ツール領域３２に駐車位置アイコン３０４が表示されており、駐車位置アイコン３０１で指定された駐車位置とは異なる場所を追加指定できる状態となっている。
【００３５】
患者宅アイコン３００の位置を修正することにより、住所表記による対応地点が広範囲にわたる場合、集合住宅の部屋番号などの住所表記と実際に位置が細部まで対応しない場合、等の状況に対応することができる。
【００３６】
駐車位置アイコン３０１および３０４の位置を指定することにより、患者宅とは区別した位置の指定を行うことができる。
【００３７】
入口アイコン３０３の位置を指定することにより、医療機器や介助機器の搬入には裏口から行う等、患者宅の位置指定とは独立に位置の指定を行うことができる。
【００３８】
生成された患者地図編集画面３０へのユーザ端末１２０からの入力完了後、更新ボタン３１２が押下された場合は、各アイコンに対応する緯度経度情報により、患者詳細情報テーブルにおける対応レコードのデータ内容が更新される（Ｓ０４）。
【００３９】
図５は、訪問支援装置１１０がユーザ端末に示すスケジュール一覧５０を示す図である。図５に示されるスケジュール一覧５０には、特定の医師が訪問する患者の一覧が表示され、「訪問完了」列には押下することで訪問完了を訪問支援装置１１０に通知する訪問完了ボタンが、「予定」および「スケジュールの種別」列には、それぞれ、訪問予定の時間帯およびスケジュールの内訳（往診・緊急・定期訪問等の種別）が、「患者氏名」「住所」「電話番号」には、それぞれ患者の各項目名に対応する情報が、「患者に対する操作」には、それぞれ、押下することで、患者の詳細情報が出力されるボタン、訪問のカレンダーが出力されるボタン、患者宅周辺地図を表示する画面が出力されるボタン５０１〜５０３がそれぞれ配置される。
【００４０】
図５に示されるスケジュール一覧５０に示される情報は、図示されていない患者ＩＤにより図４に示される患者詳細情報テーブル４０と対応づけられており、たとえば、スケジュール一覧５０における「富士  次郎」氏のスケジュール情報は、患者詳細情報テーブル４０における「患者ＩＤ」がＰ００２のレコードと関連づけられている。
【００４１】
これにより、たとえば、「富士  次郎」氏の患者宅周辺地図を表示するボタン５０１を押下することにより、「富士  次郎」氏の文字表記住所情報ではなく、「住所」「駐車位置」「入口」に関する緯度経度情報に対応づけられた患者地図編集画面３０が表示される。
【００４２】
次に、図５に示されるスケジュール一覧５０、および、図４に示される患者詳細情報テーブル４０を用いたルート案内について説明する。
【００４３】
訪問診療や訪問介護などの訪問業務を行う医師や介護師は、図５に示されたスケジュール一覧５０に従った訪問スケジュールにより、車で患者宅を訪問する。
【００４４】
ここで、訪問支援装置１１０が訪問業務を行う医師や介護師のユーザ端末１２０に対し、スケジュール一覧５０とともに、ルート案内情報を送付する場合、患者宅周辺地図に入力された患者宅、駐車位置、入口、進入経路等の緯度経度情報は、患者宅周辺の状況確認に用いるだけでなく、ルート案内に用いることができ、訪問案内を効率化することができる。
【００４５】
図６は、患者宅、駐車位置、入口、進入経路等の緯度経度情報をルート案内に用いた例を示す図である。図６（Ａ）および図６（Ｂ）は、Ａさん宅およびＢさん宅の周辺地図であり、患者宅アイコン６００および６１０はＡさん宅およびＢさん宅の訪問先住所を、駐車位置アイコン６０１および６１１はＡさん宅およびＢさん宅の駐車位置を、入口アイコン６０３および６１３はＡさん宅およびＢさん宅の入口を示し、それぞれ進入経路指定アイコン６０２および６１２により進入経路が指定される。
【００４６】
ここで、訪問支援装置１１０は、訪問業務を行う医師や介護師のユーザ端末１２０に対し、ルート案内情報を送付する際に、訪問支援装置１１０がスケジュール一覧５０に記載の文字表記住所に加え、対応する患者詳細情報テーブル４０に保存された患者宅、駐車位置、入口、進入経路等の緯度経度情報を送信し、駐車位置の緯度経度情報に基づきルート案内を行う。なお、ユーザ端末はＧＰＳ（Ｇｌｏｂａｌ  Ｐｏｓｉｔｉｏｎｉｎｇ  Ｓｙｓｔｅｍ；全地球測位システム）等による位置測定が可能であるものとする。
【００４７】
例えば図６（Ｃ）に示されるように、訪問支援装置１１０はユーザ端末１２０に対し、駐車位置アイコン６０１および６１１に対応した緯度経度情報に従ったルート案内情報を送信することにより、駐車位置を基準としたルート案内が行われる。
【００４８】
これにより、文字表記住所に従ってルート案内を行う場合のルートと異なるルート案内を行うことができ、川６３０を渡す橋６２１の途中で曲がってＡさん宅６００に進むルートではなく、橋６２１と交差する道路６２０を直進した後に駐車位置６０１で駐車し、迂回した形で橋６２１を渡り、道路６２２沿いの駐車位置６１１で駐車する、という形のルート案内を行うことができる。
【００４９】
なお、ルート案内の際は、ユーザ端末１２０に示されるルート案内の表記は文字表記情報としつつ、ルート案内の基準となる経由地および目的地を駐車位置とすることにより、ユーザ端末１２０に表示するルート案内の情報をスケジュール一覧５０に記載の情報と対応させつつ、実際の駐車位置に対応したルート行うこともできる。
【００５０】
上述したように、本実施の形態によれば、指定された患者の訪問先位置を表示する際に、保存された駐車位置等の緯度経度情報を用いることにより、訪問先位置および駐車位置を含む地図表示データを生成する。したがって、ユーザは、当該地図表示データが表示させる画面を参照して、患者までの駐車位置を容易に把握することができる。
【００５１】
また、複数の患者を訪問するスケジュールに対応して端末がルート案内を行うデータとして、保存された駐車位置等の緯度経度情報を含むデータを送信することにより、駐車位置を用いたルート案内が可能となる。
【００５２】
以上、本発明の実施例について詳述したが、本発明は斯かる特定の実施形態に限定されるものではなく、請求の範囲に記載された本発明の要旨の範囲内において、種々の変形・変更が可能である。
【符号の説明】
【００５３】
１１０：訪問支援装置
１２０：ユーザ端末
１３０：地図検索システム
Ｂ：バス
２００：ドライブ装置
２０１：記録媒体
２０２：補助記憶装置
２０３：メモリ装置
２０４：ＣＰＵ
２０５：インタフェース装置
３０：患者地図編集画面
３１：タイトル領域
３２：ツール領域
３３：地図表示領域
３００：患者宅アイコン
３０１、３０４：駐車位置アイコン
３０２：進入経路指定アイコン
３０３：入口アイコン
３１１：リセットボタン
３１２：更新ボタン
３１３：キャンセルボタン
３１４：住所入力フォーム
３１５：住所検索指示ボタン
４０：患者詳細情報テーブル
５０：スケジュール一覧
５０１〜５０３：ボタン
６００、６１０：患者宅アイコン
６０１、６１１：駐車位置アイコン
６０２、６１２：進入経路指定アイコン
６０３、６１３：入口アイコン
６２０、６２２：道路
６２１：橋
６３０：川
【図１】
2014142713.tif 000003
【図２】
2014142713.tif 000004
【図３】
2014142713.tif 000005
【図４】
2014142713.tif 000006
【図５】
2014142713.tif 000007
【図６】
2014142713.tif 000008